(57)【要約】【課題】    容積を小さくした箱形の収容ケース内に多数の汚物回収具を出し入れ容易に収容することにより、保管スペースを小さくするとともに、非常時における便器への装着が迅速に行なえるようにする。【解決手段】  前後に細長い直方体状の収容ケース（２０）を設け、該収容ケース（２０）の前端部の上面及び端面の上部を分割用のミシン孔又はスリット（Ｓ１，Ｓ２）によって分離可能とし、前記収容ケース（２０）内を山折りした仕切り板（１４）により上下に仕切り、便器の内面に沿って拡開可能な多数の便受け袋（１１）と、該便受け袋（１１）内に供給される粉状の吸水剤及び脱臭剤が充填された多数の補助剤袋（１２）、及び使用済みの便受け袋（１１）を収容する１枚の収容袋（１３）からなる汚物回収ユニットを設け、前記収容ケース（２０）の上部室に前記便受け袋（１１）と収容袋（１３）とを上下に重ねて収容し、前記収容ケース（２０）の下部室に前記補助剤袋（１２）を収容する。【選択図】図５
2011004906.tif 000002
【特許請求の範囲】
【請求項１】
前後に細長い直方体状の収容ケースを設け、該収容ケースの前端部の上面及び端面の上部を分割用のミシン孔又はスリットによって分離可能とし、前記収容ケース内を山折りした仕切り板により上下に仕切り、便器の内面に沿って拡開可能な多数の便受け袋と、該便受け袋内に供給される粉状の吸水剤及び脱臭剤が充填された多数の補助剤袋、及び使用済みの便受け袋を収容する１枚の収容袋からなる汚物回収ユニットを設け、前記収容ケースの上部室に前記便受け袋と収容袋とを上下に重ねて収容し、前記収容ケースの下部室に前記補助剤袋を収容したことを特徴とする汚物回収具の収容ケース。
【請求項２】
収容ケースの後面を、ケース主体の底面から外方に延出する後面底部片によって閉塞し、該後面底部片は前後方向中間部で反転屈曲可能にするとともに、外端部に差込み片を形成し、基部に差込み孔を形成してなり、前端部に前記後面底部片の差込み孔に嵌合係止する差込み片が形成され、前後方向中間部に前記後面底部片の差込み辺が嵌合係止する差し込み孔が形成された長方形状の支え板を設け、該支え板を前記収容ケースに収容したことを特徴とする請求項１記載の汚物回収具の収容ケース。
【発明の詳細な説明】
【技術分野】
【０００１】
本発明は、地震等の災害で使用できなくなった便器に装着し、この部で排便、排尿された汚物の回収が容易に行なえる非常用の汚物回収具に関し、特に多数の汚物回収具を取り出し可能に収容する収容ケースに関するものである。
【背景技術】
【０００２】
地震等の災害で既設の便器が使用できなくなった際に、該便器を応急的に使用できるようにすることが望ましい。これを解決するための手段として、特許文献１、即ち、図１０〜１２に示すものがあった。図１０において、１は汚物回収具であり、軟質プラスチックシート、例えば炭酸カルシウムが混入されたポリエチレン製の便受け袋２内に吸水性シート３を収容してなる。
【０００３】
前記便受け袋２は、ポリエチレンフィルムにより筒状の主体２ａを形成し、該主体２ａの左右両側を互いに接近する方向に中割り折りし、該左右両側に一辺の幅Ｗ２が約１５ｃｍとなる襠片２ｂ、２ｃを形成し、該襠片２ｂ，２ｃの下端部２ｂ−１、２ｃ−１を前記主体２ａの下端部２ａ−１に重ね、各下端部を熱圧着して閉塞してなり、これにより、襠片２ｂ、２ｃを折り畳んだときの便受け袋２は、幅Ｗ１が約４０ｃｍ、長さＬ１が約５５ｃｍとなる大きさとする。
【０００４】
前記便受け袋２内に収容する吸水性シート３は、一辺が約３０ｃｍとなる正方形状とし、吸水ポリマー及び脱臭剤を点在させた凝固紙の上下両面を通水性の不織布により被覆してなり、図１０に示すように、谷形に折り曲げて便受け袋２内に収容する。そして、不使用の場合は、便受け袋２を前記吸水性シート３の折り曲げ面積に対応する如く折り畳んで段ボール等に積み重ねて保管する。
【０００５】
前記汚物回収具１を使用する際には、図１１に示すように、便受け袋２を角筒状に広げるとともに、その底面で吸水性シート３を面状に広げ、この状態で、図１２に示すように、便器４内に収容し、その上縁部を便器４の開口上縁４ａに嵌合させ、便座５で抑える。これにより、便受け袋２が便器４内で大きく開き、該便受け袋２内に排便、あるいは排尿することができる。また、便受け袋２内に排便、排尿された汚物は、便受け袋２を便器４から取り出してその口を縛ることにより、容易に回収できる。この場合、便受け袋２内の汚物は、吸水性シート３により吸水、消臭されることになる。
【０００６】
前記従来のものは、既設の便器が地震等の災害で使用できなくなった際に、該便器を応急的に使用することができる。しかしながら、前記従来の汚物回収具１は、便受け袋２内に収容する吸水性シート３が広い面状となっていたため、小さく折り畳むことができず、保管スペース、あるいは使用時における便器近傍への設置スペースが大きくなり、取り扱いに必ずしも満足できるものではなかった。
【先行技術文献】
【特許文献】
【０００７】
【特許文献１】実用新案登録第３１１６４５７号公報
【発明の開示】
【発明が解決しようとする課題】
【０００８】
本発明は、容積を小さくした箱形の収容ケース内に多数の汚物回収具を出し入れ容易に収容することにより、保管スペースを小さくするとともに、非常時における便器への装着が迅速に行なえることを意図し、以下の如く構成したものである。
即ち、請求項１に係る発明は、前後に細長い直方体状の収容ケースを設け、該収容ケースの前端部の上面及び端面の上部を分割用のミシン孔又はスリットによって分離可能とし、前記収容ケース内を山折りした仕切り板により上下に仕切り、便器の内面に沿って拡開可能な多数の便受け袋と、該便受け袋内に供給される粉状の吸水剤及び脱臭剤が充填された多数の補助剤袋、及び使用済みの便受け袋を収容する１枚の収容袋からなる汚物回収ユニットを設け、前記収容ケースの上部室に前記便受け袋と収容袋とを上下に重ねて収容し、前記収容ケースの下部室に前記補助剤袋を収容する構成にしたものである。
請求項２に係る発明は、前記収容ケースの後面を、ケース主体の底面から外方に延出する後面底部片によって閉塞し、該後面底部片は前後方向中間部で反転屈曲可能にするとともに、外端部に差込み片を形成し、基部に差込み孔を形成してなり、前端部に前記後面底部片の差込み孔に嵌合係止する差込み片が形成され、前後方向中間部に前記後面底部片の差込み辺が嵌合係止する差し込み孔が形成された長方形状の支え板を設け、該支え板を前記収容ケースに収容する構成にしたものである。
【発明の効果】
【０００９】
本発明の請求項１に係る発明は、収容ケースの上部室に収容した便受け袋及び収容袋は、山折りした仕切り板の上面に沿って山形に屈曲するので、便受け袋及び収容袋を折り畳んだ際の大きさが収容ケースの左右幅より若干大きくてもこれを容易に収容ケース内に収容することができる。そして、収容ケースの前端部の上面及び端面の上部を分割用のミシン孔又はスリットに沿って分割し、該分割された部分をケース主体から分離すると、収容ケースの前端部に、上面及び端面の上部が開口する取出し口が形成され、収容ケースの上部室に収容した便受け袋及び収容袋の一端部が外部に露見することになる。これにより、収容ケース内の便受け袋を前記取出し口から１枚づつ取り出すことができる。
また、収容ケースの下部室に収容される補助剤袋は、小物であるため、下部室の容積が小さくても容易に出し入れすることができる。
請求項２に係る発明は、後面底部片を開操作して収容ケースの後端部を開き、収容ケースから支え板を取出してその一端側の差込み片を前記後面底部片の差込み孔に嵌合係止し、また、前記後面底部片を前後方向中間部で反転屈曲させ、その外端側の差込み片を前記支え板の差し込み孔に嵌合係止すると、前記支え板が収容ケースの後面側で起立することになる。これにより、収容ケースから取り出した補助剤袋を前記支え板と収容ケース後面とで保持することができ、該補助剤袋内に充填された吸水剤及び脱臭剤を新規に取り出した便受け袋内に迅速に入れることができる。
【図面の簡単な説明】
【００１０】
【図１】収容ケース内に収容する収容物の斜視図である。
【図２】収容ケース内に収容する収容物の重ね状態を示す斜視図である。
【図３】収容ケースへの収容物の収容状態を示す斜視図である。
【図４】収容物が収容された収容ケースの斜視図である。
【図５】収容ケースからの収容物の取出し状態を示す斜視図である。
【図６】収容ケースの展開図である。
【図７】折り畳んだ収容ケースの斜視図である。
【図８】支え板の平面図である。
【図９】仕切り板の平面図である。
【図１０】従来による便受け袋の折り畳み状態を示す斜視図である。
【図１１】従来による便受け袋の拡開状態を示す斜視図である。
【図１２】便受け袋を便器に取付けた状態の斜視図である。
【発明を実施するための形態】
【００１１】
以下本発明の実施例を図面に基づいて説明する。図１において、１０は汚物回収ユニットであり、軟質プラスチックシート、例えば炭酸カルシウムが混入されたポリエチレン製の便受け袋１１、該便受け袋１１に供給される粉状の吸水剤及び脱臭剤が充填された多数の補助剤袋１２、及び使用済みの便受け袋を収容する１枚の収容袋１３からなる。
【００１２】
前記便受け袋１１は、前述した便受け袋１と略同様の形状及び大きさとなっており、１０枚重ねにして後述の収容ケース２０に収容できる大きさに折り畳んで薄い外袋に収容された袋ユニット１１−１とされ、該袋ユニット１１−１が１つの収容ケース２０に２組み収容されるようになっている。
【００１３】
前記補助剤袋１２は、幅約１４ｃｍ、高さ約２２ｃｍの外袋１２ａ内に、粉状にした吸水ポリマー及び脱臭剤が混在して充填された多数の小袋１２ｂを収容する。該小袋１２ｂの個数は、収容ケース２０に収容される便受け袋１１と同数となる２０個とする。図１において、１４は山形に屈曲されて収容ケース２０に収容され、該収容ケース２０内を上下に区切る仕切り板、１５は収容ケース２０から取り出した補助剤袋１２を支える支え板であり、前端部に差込片１５ａが、前後方向中間部に差込み孔１５ｂが形成されている。前記仕切り板１４及び支え板１５は、前述した汚物回収ユニット１０とともに収容ケース２０に収容される。
【００１４】
前記収容ケース２０は、図６に示す展開ボール紙２０−１を折り畳んで形成される。即ち、底面２１の両側（図６において上下）に左右側面２２，２３を、右側面２３に上面２４をそれぞれ連結し、底面２１の前後端（図６において左右）に前後幅の小さい前面底部片２１ａ及び前後幅の長い後面底部片２１ｂを連結し、左右側面２２，２３の前後端に、前記前面底部片２１ａと重なる小幅な前面側部片２２ａ、２３ａ、及び後面底部片２１ｂ側（底部側）が逆Ｖ形に切り欠かれた後面側部片２２ｂ、２３ｂをそれぞれ連結し、上面２４の前後端に前後幅の大きい前面上部片２４ａ及び前後幅の小さい後面上部片２４ｂを連結する。
【００１５】
前記後面底部片２１ｂは、前後方向中間部で反転屈曲可能にするとともに、外端部に差込み片２１ｃが、基部に差込み孔２１ｄが形成され、前記差込み片２１ｃは前述した支え板１５の前後方向中間部に形成した差込み孔１５ｂに嵌合係止し、前記差込み孔２１ｄには前記支え板１５の前端部に形成した差込片１５ａが嵌合係止するようになっている。また、前記上面２４の前後端部、及び前面上部片２４ａの基部側に分割用のミシン孔（又はスリット）Ｓ１，Ｓ２を形成する。
【００１６】
前記展開ボール紙２０−１を折り畳むことにより、図７に示すように、前後長さが約２２５ｍｍ、左右幅が約１８０ｍｍ、高さが約８０ｍｍとなる直方体状の収容ケース２０を得る。図７において、２５は後面底部片２１ｂの突出片に形成した吊り孔である。
【００１７】
前記収容ケース２０に、前述した汚物回収ユニット１０（便受け袋１１、補助剤袋１２、及び収容袋１３）、仕切り板１４、及び支え板１５が、以下のようにして収容される。即ち、図３に示すように、後面底部片２１ｂ、及び後面側部片２２ｂ、２３ｂを開操作して収容ケース２０の後面を開き、まず、仕切り板１４を山型に屈曲させて収容ケース２０にその後面から収容して収容ケース２０内を上下に仕切る。
【００１８】
次いで、支え板１５と補助剤袋１２とを上下に重ねて収容ケース２０の下部室にその後面側から収容する。次いで、袋ユニット１１−１（便受け袋１１）と収容袋１３とを上下に重ねて前記収容ケース２０の上部室にその後面側から収容する。次いで、図４に示すように、前記後面底部片２１ｂ、及び後面側部片２２ｂ、２３ｂを閉操作して収容ケース２０の後面を閉じ、汚物回収具が収容された収容ケース２０を形成し、該収容ケース２０を保管あるいは店頭等で展示する。
【００１９】
次に前記収容ケース２０を使用する際には、図５に示すように、収容ケース２０の前端部の上面及び端面の上部をミシン孔（又はスリット）Ｓ１，Ｓ２に沿って分割し、収容ケース２０の前端部に上面及び端面の上部が開口した取出し口２６を形成する。これにより、収容ケース２０内の便受け袋１１を前記取出し口２６から１枚づつ取り出すことができる。また、後面底部片２１ｂを開き、収容ケース２０から取り出した支え板１５の差込み片１５ａを前記後面底部片２１ｂの差込み孔２１ｄに嵌合係止し、また、前記後面底部片２１ｂを前後方向中間部Ｍ１で反転屈曲させ、その外端側の差込み片２１ｃを前記支え板１５の差し込み孔１５ｂに嵌合係止し、前記支え板１５を収容ケース２０の後面側で起立させる。この状態で収容ケース２０から取り出した補助剤袋１２を前記支え板１５と収容ケース２０後面との間に配置し、両者で前記補助剤袋１２を起立保持する。これにより、新規に取り出した便受け袋１１内に前記補助剤袋１２内に充填して吸水剤及び脱臭剤を迅速に入れる（供給する）ことができる。
【符号の説明】
【００２０】
１０        汚物回収具
１１        便受け袋
１１−１    袋ユニット
１２        補助剤袋
１３        収容袋
１５        支え板
１５ａ      差込み片
１５ｂ      差込み孔
２０        収容ケース
２１        底面
２１ａ      前面底部片
２１ｂ      後面底部片
２１ｃ      差込み片
２１ｄ      差込み孔
２２，２３    左右側面
２２ａ、２３ａ    前面側部片
２２ｂ、２３ｂ    後面側部片
２４    上面    
２４ａ      前面上部片
２４ｂ      後面上部片
【図１】
2011004906.tif 000003
【図２】
2011004906.tif 000004
【図３】
2011004906.tif 000005
【図４】
2011004906.tif 000006
【図５】
2011004906.tif 000007
【図６】
2011004906.tif 000008
【図７】
2011004906.tif 000009
【図８】
2011004906.tif 000010
【図９】
2011004906.tif 000011
【図１０】
2011004906.tif 000012
【図１１】
2011004906.tif 000013
【図１２】
2011004906.tif 000014